【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
回転軸を嵌入するための軸通孔を中心に備え、前記軸通孔を囲むようにして所定間隔をもって軸方向に突設した複数の突設柱を有する保持部材であって、各突設柱が周方向において第１の側面と第２の側面とを備え、前記第１の側面がこれに隣接する突設柱の前記第２の側面と対向するように配設されている、保持部材と、
前記複数の突設柱を外側から囲み、前記保持部材と相対回転しないリング状部材と、
隣接する前記突設柱の一方の第１の側面と他方の第２の側面との間に形成される保持溝と、
前記保持溝内において軸方向に保持され、前記軸通孔に嵌入された前記回転軸と軸方向に接するニードルと、
前記突設柱の第１の側面からこれと隣接する突設柱の第２の側面へ向けて延出するバネ手段とを備え、
前記ニードルが前記保持溝内で前記第１の側面側に移動する方向に前記回転軸が回転する際には軸受け作用が働き、前記ニードルが前記保持溝内で前記第２の側面側に移動する方向に前記回転軸が回転する際には緊締作用が働く一方向クラッチにおいて、
前記ニードルの外径をＤとし、隣接する前記突設柱の内面間の距離をＬとし、前記バネ手段がフリー状態にあるときに前記ニードルが前記保持溝内を前記バネ手段の延出方向に沿って移動可能な距離をδとしたとき、下記（１）式を満たすことを特徴とする一方向クラッチ。
Ｌ＜Ｄ≦Ｄ＋δ                                  （１）
【請求項２】
前記バネ手段は、前記突設柱の第１の側面においてこれと一体に形成されている、請求項１に記載の一方向クラッチ。
【請求項３】
前記保持部材とバネ手段の材質がプラスチックであり、これらが射出成型による一体の成形体である、請求項２に記載の一方向クラッチ。
【請求項４】
前記リング状部材の内面が前記保持部材に対して回り止め形状をなす、請求項１〜請求項３のいずれか１項に記載の一方向クラッチ。
【手続補正２】
【補正対象書類名】明細書
【補正対象項目名】０００６
【補正方法】変更
【補正の内容】
【０００６】
【課題を解決するための手段】
上記課題を解決するために本発明の一方向クラッチは、請求項１において、
回転軸を嵌入するための軸通孔を中心に備え、前記軸通孔を囲むようにして所定間隔をもって軸方向に突設した複数の突設柱を有する保持部材であって、各突設柱が周方向において第１の側面と第２の側面とを備え、前記第１の側面がこれに隣接する突設柱の前記第２の側面と対向するように配設されている、保持部材と、
前記複数の突設柱を外側から囲み、前記保持部材と相対回転しないリング状部材と、
隣接する前記突設柱の一方の第１の側面と他方の第２の側面との間に形成される保持溝と、
前記保持溝内において軸方向に保持され、前記軸通孔に嵌入された前記回転軸と軸方向に接するニードルと、
前記突設柱の第１の側面からこれと隣接する突設柱の第２の側面へ向けて延出するバネ手段とを備え、
前記ニードルが前記保持溝内で前記第１の側面側に移動する方向に前記回転軸が回転する際には軸受け作用が働き、前記ニードルが前記保持溝内で前記第２の側面側に移動する方向に前記回転軸が回転する際には緊締作用が働く一方向クラッチにおいて、
前記ニードルの外径をＤとし、隣接する前記突設柱の内面間の距離をＬとし、前記バネ手段がフリー状態にあるときに前記ニードルが前記保持溝内を前記バネ手段の延出方向に沿って移動可能な距離をδとしたとき、下記（１）式を満たすことを特徴とする。
Ｌ<Ｄ≦Ｄ＋δ                                  （１）
【手続補正３】
【補正対象書類名】明細書
【補正対象項目名】００１４
【補正方法】変更
【補正の内容】
【００１４】
リング状部材２と保持部材１は相対回転しないように一体的に構成されており、リング状部材２の内面２１は多角形（図では６角形を示す）の回り止め形状をなす。なお、リング状部材２の内面２１を多角形状とせずに円形とし、突設柱１２の外面１２ｂとリング状部材２の内面２１に凹凸部をそれぞれ設けて、両者を相対回転不能に係合してもよい。
【手続補正４】
【補正対象書類名】明細書
【補正対象項目名】００１７
【補正方法】変更
【補正の内容】
【００１７】
以上のように構成された一方向クラッチにおいては、図２（ａ）に示すように、各ニードル３の外径をＤとし、隣接する突設柱１２、１２の内面１２ａ、１２ａ間の距離をＬとし、各保持溝４内においてニードル３がバネ手段５の延出方向に沿って移動可能な距離をδとしたとき、Ｄ、Ｌ、δが下記（１）式を満たす関係にある。
Ｌ<Ｄ≦Ｄ＋δ                                  （１）
【手続補正５】
【補正対象書類名】明細書
【補正対象項目名】００１８
【補正方法】変更
【補正の内容】
【００１８】
ここで、式（１）中のＤ+δについて説明を加える。図２（ａ）に示すニードル３は、その図中左下部を図中左側の突設柱１２の第２の側面１２ｃの内面付近に接すると共に、その図中上部をリング状部材２の内面２１に接している（「位置１」とする）。したがって、このニードル３はもはやこれ以上図中左側には移動できない。一方、このニードル３はその図中右側部分を板バネ５に丁度接する位置（「位置２」とする）まで図中右側に移動可能である。図２（ａ）では、回転軸７が軸通孔１１内に嵌入されていないので、このニードル３は何らかの外力が作用しない限り、位置２より図中右側には移動することはない（更に右側に移動するには板バネ５の付勢力に抗して移動しなければならないので、）。すなわち、ニードル３は外力が作用しない限りは上記位置１と位置２の間で移動可能である。
したがって、式（１）中のＤ+δは、ニードル３の外径と、ニードル３がバネ手段５の延出方向に沿った線Ｍ上を上記位置１から位置２に移動する距離との和として与えられるものである。
【手続補正６】
【補正対象書類名】明細書
【補正対象項目名】００２０
【補正方法】変更
【補正の内容】
【００２０】
保持部材１の材質はプラスチックに限定されるものではなく、金属やセラミックス等を用いてもい。
バネ手段は保持部材と一体に成形したものでなくこれと別体としてもよい。別体とする場合には、バネ手段は保持部材と異なる材質であっても同じ材質であってもよく、例えばプラスチック、金属、セラミックス等を用いることができる。また、保持部材と一体又は別体であるに拘わらず、バネ手段としては板バネに限定されるものでなくコイルバネ等を用いてもよい。しかしながら、製造の容易性、低コスト化等の理由から、バネ手段と保持部材には材質としてプラスチックを用い、バネ手段を板バネとしてこれらを射出成型法によって一体成形するのが好ましい。
また、リング状部材２もその材質を特に限定されるものではなく、金属、プラスチック、セラミックスなどが用いられるが、強度の観点から金属製であるのが好ましい。
【手続補正７】
【補正対象書類名】明細書
【補正対象項目名】００２４
【補正方法】変更
【補正の内容】
【００２４】
すなわち、組立工程中において、もしも板バネ５がニードル３に付勢力を作用していると、例えば、回転軸７が軸通孔１１に嵌入される際にニードル３に強く接触したときに、それによってニードル３が保持溝４から飛び出したりする不都合や（コイルバネ等のバネ手段５が保持部材１と一体に成形したものでなくこれと別体である場合には、ニードル３の保持溝４からの飛び出しに引きずられて、バネ手段５も保持溝４内から誤って飛び出したりする不都合もある）、また、回転軸７とリング状部材２の内面２１の間で板バネ５が押しつぶされたりする危険性があった。しかしながら、板バネ５がフリー状態なので、このような不都合や危険性を回避することができる。
また、上記式（１）に示すように、ニードル３の外径と、ニードル３がバネ手段５の延出方向に沿った線Ｍ上を上記位置１から位置２に移動する距離との和として与えられるＤ+δは、ニードル３の外径Ｄより大きいので、ニードル３を保持溝４内に挿入する際にニードル３がバネ手段５によって干渉されない利点がある。さらに、ニードル３を保持溝４内に挿入した後であって、回転軸７を軸通孔１１に挿入する前においては、保持溝４の軸方向の開口を下方に向けない限りニードル３が保持溝４から抜け出ることがない利点もある。
【手続補正８】
【補正対象書類名】明細書
【補正対象項目名】００３０
【補正方法】変更
【補正の内容】
【００３０】
【発明の効果】
以上のように本発明の一方向クラッチは、請求項１において、
回転軸を嵌入するための軸通孔を中心に備え、前記軸通孔を囲むようにして所定間隔をもって軸方向に突設した複数の突設柱を有する保持部材であって、各突設柱が周方向において第１の側面と第２の側面とを備え、前記第１の側面がこれに隣接する突設柱の前記第２の側面と対向するように配設されている、保持部材と、
前記複数の突設柱を外側から囲み、前記保持部材と相対回転しないリング状部材と、
隣接する前記突設柱の一方の第１の側面と他方の第２の側面との間に形成される保持溝と、
前記保持溝内において軸方向に保持され、前記軸通孔に嵌入された前記回転軸と軸方向に接するニードルと、
前記突設柱の第１の側面からこれと隣接する突設柱の第２の側面へ向けて延出するバネ手段とを備え、
前記ニードルが前記保持溝内で前記第１の側面側に移動する方向に前記回転軸が回転する際には軸受け作用が働き、前記ニードルが前記保持溝内で前記第２の側面側に移動する方向に前記回転軸が回転する際には緊締作用が働く一方向クラッチにおいて、
前記ニードルの外径をＤとし、隣接する前記突設柱の内面間の距離をＬとし、前記バネ手段がフリー状態にあるときに前記ニードルが前記保持溝内を前記バネ手段の延出方向に沿って移動可能な距離をδとしたとき、下記（１）式を満たすことを特徴とする。
Ｌ<Ｄ≦Ｄ＋δ                                  （１）
【手続補正９】
【補正対象書類名】明細書
【補正対象項目名】符号の説明
【補正方法】変更
【補正の内容】
【符号の説明】
１・・保持部材、２・・リング状部材、３・・ニードル、４・・保持溝、５・・バネ手段、７・・回転軸、１１・・軸通孔、１２・・突設柱、１２ｃ・・第２の側面、１２ｄ・・第１の側面、Ｄ・・ニードルの外径、Ｌ・・隣接する突設柱の内面間の距離、δ・・バネ手段がフリー状態にあるときにニードルが保持溝内でバネ手段の延出方向に沿って移動可能な距離。